(57)【特許請求の範囲】
【請求項１】
天面部に注出口を有する栓本体と、該栓本体に被冠される蓋体とをヒンジを介して連結してなる合成樹脂製の容器口栓であって、
前記栓本体は、その最外周縁に設けた前記蓋体と係合する第１係合縁と、該第１係合縁の内側に、天面部の面よりも隆起した、注出口を有する突出面と、該突出面の全外周縁に設けた第２係合縁と、を有してなり、
前記第２係合縁を、前記突出面の全外周縁から外方に突出する環状係合部で構成して、
前記注出口を前記突出面の中心から前記ヒンジと遠ざかる方向に偏って配置して、
前記蓋体は、前記栓本体を覆う側において、その最外周縁に設けた前記栓本体の第１係合縁と係合する係合縁と、該係合縁の内側で天頂部の下面から環状に突起し前記栓本体の第２係合縁に係合する環状係合部と、該環状係合部の内側で天頂部の下面から突設し前記栓本体の注出口に嵌合するスタッドと、を有してなり、
前記栓本体の、前記天面部より隆起して前記第２係合縁の前記環状係合部で囲んだ範囲に平面的に延びる前記突出面を、前記蓋体を前記栓本体に被冠した時、前記栓本体の前記環状係合部と前記蓋体の前記環状係合部とが気密的に係合すると共に、前記蓋体のスタッドの先端が前記栓本体の注出口の下面から突出して、前記栓本体の前記突出面と前記蓋体の前記環状係合部で囲まれた天頂部との間にクリアランスを設けるように備えることを特徴とする容器口栓。
【請求項２】
前記注出口は湾曲した孔で構成されることを特徴とする請求項１に記載の容器口栓。
【請求項３】
前記突出面は前記栓本体の中心から前記ヒンジと遠ざかる方向に偏って配置されることを特徴とする請求項１または２に記載の容器口栓。
【発明の詳細な説明】
【技術分野】
【０００１】
本発明は、調味料等の粉粒体が充填される容器本体の口部に被冠される容器口栓に関するものである。
【背景技術】
【０００２】
従来の容器口栓は、図５、図６に示すように、容器本体の口部に装着される栓本体５０と、栓本体５０の天面部５１にその中心部にヒンジ５２を介して連結された蓋体５３とからなる。
蓋体５３は、平面視形状が蒲鉾状に形成される平板部５３Ａと、平板部５３Ａの湾曲部位の周縁から下方に突出した湾曲壁５３Ｂとから構成される。
また、栓本体５０の天面部５１には、蓋体５３が覆う位置に、平面視蒲鉾状の凹部５４が形成される。凹部５４の底部の上面は平坦であり、凹部５４の底部には内容物の注出口５５が複数形成される。各注出口５５は略円形に形成される。蓋体５３の、栓本体５０の凹部５４を覆う側には、各注出口５５に嵌合するスタッド５６が各注出口５５の対応する位置にそれぞれ突設される。
【０００３】
また、蓋体５３の湾曲壁５３Ｂの内面に周方向の所定範囲に設けた係合突条５６を設け、栓本体５０の凹部５４の湾曲部近傍の胴部にも突設した係合突条５７を設ける。
そして、蓋体５３を栓本体５０の凹部５４に対し閉じれば、両係合突条５６、５７が互いに係合して、蓋体５３は栓本体５０の天面部５１上に係止され、同時に各スタッド５６が各注出口５５に嵌合して内容物の出口が閉鎖される。
【０００４】
しかしながら、従来の容器口栓では、栓本体５０に蓋体５３を被せた際、ヒンジ５２があるため隙間を生じ、かつ栓本体５０の各注出口５５が完全に密閉されないために、容器本体内に湿気が浸入して内容物が固まってしまう不都合が発生する虞があった。
しかも、従来の容器口栓では、蓋体５３を栓本体５０に被せた際、栓本体５０の凹部５４の底面と蓋体５３の平板部５３Ａの下面とが略全面で接触する構造であるために、栓本体５０の凹部５４の底面上に内容物が残存した際、これに蓋体５３を被せると、栓本体５０の凹部５４の底面と、蓋体５３の平板部５３Ａの下面との間に内容物が挟み付けられそこに空間が生じ、該空間及び容器本体内にヒンジ５２周辺からの湿気が浸入し、内容物を注出口周辺にこびり付ける不都合が発生する問題があった。
【０００５】
また、特許文献１には、図５、図６に示したような容器蓋の構造について開示されているが、内容物を取り出すための開閉口の周面は蓋表面に対して小さな範囲で窪んでいる。
【先行技術文献】
【特許文献】
【０００６】
【特許文献１】実用新案登録第２５５４８２２号公報
【発明の概要】
【発明が解決しようとする課題】
【０００７】
しかしながら、従来の容器口栓および特許文献１の詰め替え容器の蓋構造では、ヒンジを採用しているので、湿気の浸入を回避できないと共に内容物の注出口の周面が他の面より一段低くなった位置に設けられるので、注出口の周面に内容物が残留し、入ってきた湿気によりこびり付き、容器内の内容物を固化するなどの問題が生じる。
【０００８】
本発明は、かかる点に鑑みてなされたものであり、ヒンジを介して蓋体を連結した容器口栓であるにも拘らず、容器本体内および注出口の周面の密封性を確保でき、しかも、注出口の周面を掃除し易い状態とした容器口栓を提供することを目的とする。
【課題を解決するための手段】
【０００９】
本発明は、上記課題を解決するための手段として、請求項１に記載した発明は、天面部に注出口を有する栓本体と、該栓本体に被冠される蓋体とをヒンジを介して連結してなる合成樹脂製の容器口栓であって、前記栓本体は、その最外周縁に設けた前記蓋体と係合する第１係合縁と、該第１係合縁の内側に、天面部の面よりも隆起した、注出口を有する突出面と、該突出面の全外周縁に設けた第２係合縁と、を有してなり、前記第２係合縁を、前記突出面の全外周縁から外方に突出する環状係合部で構成して、前記注出口を前記突出面の中心から前記ヒンジと遠ざかる方向に偏って配置して、前記蓋体は、前記栓本体を覆う側において、その最外周縁に設けた前記栓本体の第１係合縁と係合する係合縁と、該係合縁の内側で天頂部の下面から環状に突起し前記栓本体の第２係合縁に係合する環状係合部と、該環状係合部の内側で天頂部の下面から突設し前記栓本体の注出口に嵌合するスタッドと、を有してなり、前記栓本体の、前記天面部より隆起して前記第２係合縁の前記環状係合部で囲んだ範囲に平面的に延びる前記突出面を、前記蓋体を前記栓本体に被冠した時、前記栓本体の前記環状係合部と前記蓋体の前記環状係合部とが気密的に係合すると共に、前記蓋体のスタッドの先端が前記栓本体の注出口の下面から突出して、前記栓本体の前記突出面と前記蓋体の前記環状係合部で囲まれた天頂部との間にクリアランスを設けるように備えることを特徴とするものである。
請求項１の発明では、蓋体を栓本体に被せると、栓本体の第１及び第２係合縁に、蓋体の係合縁及び環状係合部が係合するが、この時、栓本体の第２係合縁の環状係合部と蓋体の環状係合部とが気密的に密着した状態となるので、容器内への湿気の浸入を防ぐことができる。また、栓本体に設けた突出面は天面部の他の面より平面的に隆起しているので、内容物の振り出しが良く、突出面に内容物が付着しても容易に拭き取ることができる。
また、仮に、突出面上に内容物が残存した場合でも、栓本体の突出面と蓋体の天頂部との間にクリアランスを設けた状態で栓本体の第２係合縁の環状係合部と蓋体の環状係合部とが気密的に密着して係合されることにより、湿気が注出口の周面付近に浸入しないので、内容物を注出口周面付近でこびり付いたり、固まったりすることを防ぐ。
さらに、注出口を突出面の中心からヒンジと遠ざかる方向に偏って配置しているので、栓本体の突出面において、注出口からヒンジから遠ざかる側の平面の面積を最小限にすることができ、振り出し側の突出面上に内容物が出来る限り付着しないようにしている。
しかも、突出面は所定範囲で平面的に延びているので、仮に突出面上に内容物が付着した際にもその内容物を拭き取り易くなる。
【００１０】
請求項２に記載した発明は、請求項１に記載した発明において、前記注出口は湾曲した孔で構成されることを特徴とする。
請求項２の発明では、注出口からヒンジから遠ざかる側の平面の面積をさらに小さくすることができ、振り出し側の突出面上に内容物が出来る限り付着しないようにしている。
【００１３】
請求項３に記載した発明は、請求項１または２に記載した発明において、前記突出面は前記栓本体の中心から前記ヒンジと遠ざかる方向に偏って配置されることを特徴とするものである。
請求項３の発明では、内容物の振り出しにおいて、蓋体による死角を作らず、所望の注出方向に容易に振り出すことができる。
【発明の効果】
【００１４】
本発明の容器口栓によれば、蓋体を栓本体に被せると、栓本体の第１及び第２係合縁に、蓋体の係合縁及び環状係合部が係合するが、この時、栓本体の第２係合縁と蓋体の環状係合部とが密着した状態となるので、注出口の付近および容器内への湿気の浸入を防ぐことができる。これにより、内容物が注出口の周面にこびり付いたり、容器内部で固まったりすることを防止することができる。
また、栓本体に設けた突出面は天面部の面より平面的に隆起しているので、突出面に内容物が付着しても容易に拭き取ることができる。また、突出面および突出面に穿設した注出口は共に偏って形成されているので、内容物の付着が軽減され使用者にとって使用勝手が非常に良くなる。
【図面の簡単な説明】
【００１５】
【図１】図１は、本発明の実施の形態に係る容器口栓の、蓋体を開いた状態の平面図である。
【図２】図２は、図１のＡ‐Ａ線に沿う縦断面図である。
【図３】図３は、本発明の容器口栓の、蓋体を開いた状態の斜視図である。
【図４】図４は、本発明の容器口栓の、容器口に装着した状態での縦断面図である。
【図５】図５は、従来の容器口栓の、蓋体を開いた状態の平面図である。
【図６】図６は、図５のＢ‐Ｂ線に沿う縦断面図である。
【発明を実施するための形態】
【００１６】
以下、本発明を実施するための形態を図１〜図４に基づいて詳細に説明する。
本発明の実施の形態に係る容器口栓２は、図１〜図３に示すように、合成樹脂製からなり、容器１の口部１Ａに装着され、天面部８に注出口３を有する栓本体４と、該栓本体４にヒンジ５を介して連結され、該栓本体４に被冠される蓋体６とを備えている。なお、本実施形態に係る容器口栓２は、例えば、顆粒状等の調味料、香辛料等の内容物が充填された容器１の口部１Ａに装着される。
【００１７】
栓本体４は、円筒状の胴部７と、該胴部７の上端に接続される円板状の天面部８とからなる。胴部７の内周面には容器１の口部１Ａに螺着する螺糸９が形成される。天面部８の下面には、容器１の口部１Ａの上面に接触する環状突設部１０が突設される。
また、胴部７の上端でかつ天面部８の最外周縁には段差部１１が設けられる。該段差部１１が、後述する蓋体６の最外周縁に設けられる係合縁２１が係合する第１係合縁に相当する。該段差部１１（第１係合縁）は蓋体６を栓本体４に係止するためのものである。また、栓本体４の胴部７の、ヒンジ５と遠ざかる部位で前記段差部１１から下方に連続する外周面に浅溝１３が所定の周範囲で形成される。該浅溝１３は中心角略１００°の周範囲で設けられる。該浅溝１３は蓋体６を開く際に蓋体６に設けた指掛け部１６に使用者の指が掛け易くなるように設けられている。
【００１８】
さらに、栓本体４の天面部８には、他の面よりも隆起する円形状の平面的に延びる突出面１２が形成される。該突出面１２は天面部８の中心からヒンジ５と遠ざかる部位に偏って設けられる。該突出面１２の上端の全外周縁には、外方に突出する環状係合部１９が形成される。該環状係合部１９が、後述する蓋体６の環状係合部２２が係合する第２係合縁に相当する。
【００１９】
栓本体４の突出面１２には注出口３が穿設される。該注出口３は突出面１２の中心からヒンジ５と遠ざかる方向に偏って設けられる。本実施形態では、注出口３は湾曲した孔で形成されているが、他の形状の孔でも良いことは勿論であり、複数の円形状の孔でも良い。
なお、栓本体４の胴部７の外周面には、滑り止めのためのローレットが形成される。
【００２０】
一方、蓋体６は、円筒状の胴部１４と、該胴部１４の軸方向一端に接続される円板状の天頂部１５とからなる。蓋体６の栓本体４を覆う側には、その最外周縁に設けられ、詳しくは胴部１４の軸方向他端側の内周縁に設けられ、栓本体４の段差部１１（第１係合縁）と係合する係合縁２１と、係合縁２１の内側で天頂部１５から円環状に突起し、栓本体４の突出面８に設けた環状係合部１９（第２係合縁）に係合する環状係合部２２と、環状係合部２２の内側で天頂部１４の下面から突設され、栓本体４の注出口３に嵌合するスタッド２３とを備えている。該スタッド２３は、環状に形成され、その形状は栓本体４の天面部８に設けた注出口３に対応した形状に形成される。当然ながら、スタッド２３は柱状で形成されてもよい。該スタッド２３は環状係合部２２よりも若干高く形成される。
また、蓋体６の胴部１４の栓本体４を覆う側において、ヒンジ５から遠ざかる部位には、所定の周範囲で外方に突設される指掛け部１６が形成される。該指掛け部１６は、栓本体４に設けた浅溝１３と同様に中心角略１００°の周範囲で設けられる。
【００２１】
上記のように構成された容器口栓２は、内容物を充填した容器１の口部１Ａに装着されて使用される。蓋体６を閉じた状態は図４に示す状態であり、蓋体６はその胴部１４の係合縁２１が栓本体４の段差部１１（第１係合縁）１１に係止されて閉鎖状態を維持し、そして、蓋体６の環状係合部２２の内周面が栓本体４の突出面１２に設けた環状係合部１９（第２係合縁）の外周面に密接に係合し、同時に蓋体６のスタッド２３が栓本体４の注出口３に嵌入する。この蓋体６を閉じた状態では、栓本体６の突出面１２と、蓋体６の環状係合部２２で囲まれた天頂部１５との間にはクリアランス２５が形成される。また、蓋体６の環状係合部２２の先端は栓本体４の天面部８の上面から離れた状態であり、蓋体６のスタッド２３の先端が栓本体４の注出口３の下面から突出するようになる。
そして、蓋体６を閉じた状態では、蓋体６の天頂部１５に設けた環状係合部２２が栓本体４の突出面１２に設けた環状係合部１９（第２係合縁）に密接に係合しているため、クリアランス２５、栓本体４の注入口３及び容器１内への湿気の浸入を防ぐことができる。
【００２２】
また、内容物を使用する場合には、蓋体６を図３に示すように開いて、容器１を傾斜させて、内容物を栓本体４に設けた注出口３より振り出せばよい。注出口３と、突出面１２のヒンジ５から遠い部位の縁部との間隔Ｘ（図３参照）が狭いので、内容物を振り出した後、突出面１２上に内容物が付着する量が極めて少なくなる。しかも、栓本体６の突出面１２は他の面より隆起してその面が平坦であるので、仮に内容物が突出面１２上に付着しても拭き取りやすい。
また内容物を栓本体４の突出面８上に付着させたまま、蓋体６を再度閉じた場合、栓本体４の突出面１２と、蓋体６の環状係合部２２で囲まれた天頂部１５との間にはクリアランス２５が形成されるように構成されているので、内容物を潰すことなく維持し、かつこの部位（クリアランス２５）には湿気が入らないので、注出口３の周りの面に内容物がこびり付くことを抑制できる。
【符号の説明】
【００２３】
２  容器口栓，３  注出口，４  栓本体，５  ヒンジ，６  蓋体，８  天面部，１１  段差部（第１係合縁），１２  突出面，１５  天頂部，１９  環状係合部（第２係合縁），２１  係合縁，２２  環状係合部，２５  クリアランス
【図１】
0005700197.tif 000002
【図２】
0005700197.tif 000003
【図３】
0005700197.tif 000004
【図４】
0005700197.tif 000005
【図５】
0005700197.tif 000006
【図６】
0005700197.tif 000007